(57)【要約】      （修正有）【課題】商品の発送に使用された箱を当該商品の陳列箱として使用することが可能であり、しかも陳列箱としての組み立てを容易に行うことが可能な包装箱を提供する。【解決手段】内部に被収容物５を収容する収容空間２３を有し、天面には収容空間に被収容物を出し入れ可能にする開口２２を備える箱本体部２と、開口の一辺と連結し、収納時には開口を塞ぎ、箱本体部の正面の全面に覆いかぶさって、開封時には箱本体部の背面に折り返すことができる蓋部４と、蓋部を折り返した場合に、蓋部の先端と箱本体部の底面を係止し、蓋部と箱本体部を一定の距離で固定する止め具３と、を備える。止め具は、収容空間内における被収容物の仕切り板を兼ねており、止め具の一端は蓋部又は箱本体部のいずれか一方と一体に設けられ、他端が他方に係合する。【選択図】図１
0003226530.tif 000002
【実用新案登録請求の範囲】
【請求項１】
内部に被収容物を収容する収容空間を有し、天面には前記収容空間に前記被収容物を出し入れ可能にする開口を備える箱本体部と、
前記開口の一辺と連結し、収納時には前記開口を塞ぎ、前記箱本体部の正面の全面に覆いかぶさって、開封時には前記箱本体部の背面に折り返すことができる蓋部と、
前記蓋部を折り返した場合に、前記蓋部の先端と前記箱本体部の底面を係止し、前記蓋部と前記箱本体部を一定の距離で固定する止め具と、を備えることを特徴とする包装箱。
【請求項２】
前記止め具が、前記収容空間内における前記被収容物の仕切り板を兼ねていることを特徴とする請求項１記載の包装箱。
【請求項３】
前記止め具の一端が前記蓋部又は前記箱本体部のいずれか一方と一体に設けられ、前記止め具の他端が他方に係合することを特徴とする請求項１記載の包装箱。
【考案の詳細な説明】
【技術分野】
【０００１】
本考案は、例えばサプリメント等の複数の小物商品を客先に届ける際に、これら商品を整列させた状態で収納し、そのまま郵送等により発送することが可能な包装箱に関する。
【背景技術】
【０００２】
サプリメント等の小物商品の発送に使用された包装箱は、客先に届いた後は、当該商品の保存用の箱としてそのまま使用されるケースが多い。その一方、商品が収納された包装箱をそのまま机上等に放置すると、その机上に置いてある他の物品に隠れる等して目立たず、いつしか当該商品の存在そのものを忘れてしまう懸念がある。例えば、通信販売においてサプリメント等の定期的な服用が求められる商品を購入した場合、購入当初、ユーザは忘れることなく服用していても、当該サプリメントを保存している包装箱が目立たないものであれば、いつしか服用を忘れてしまう懸念もある。このことは、商品を購入したユーザにとってマイナスであるが、当該商品のリピート需要を期待している事業者にとってもマイナスである。
【０００３】
このような商品購入者、及び当該商品を提供する事業者の不利益を解決する方策として、商品の郵送に使用された包装箱をそのまま机上における当該商品の陳列箱として使用することが考えられる。
【０００４】
特許文献１には、商品の郵送に使用された箱をそのまま陳列箱として利用可能な自立式の包装箱が開示されている。具体的には、包装箱背面に設けられた切れ目線から包装箱の一部の支持脚片を切り取り、背面に設けられた切り起こし片を当該支持脚片に設けられた挿入孔に挿入係止することにより後傾支持された状態で自立可能となっているものが知られている。
【先行技術文献】
【特許文献】
【０００５】
【特許文献１】特開２００８−２６５７９１号公報
【考案の概要】
【考案が解決しようとする課題】
【０００６】
しかし、当該包装箱を陳列箱として使用する際には、一旦包装物を取り出して、包装箱に設けられている複数の切れ目線の切り取りや切り起こし、切り起こし片を挿入する等の作業を要する。これらの作業を郵送された包装箱１つずつに当該作業を行わなければならないとなると、相当の時間もかかることになる。このことから、当該包装箱を陳列箱として使用する際の組み立ては、作業工程が多く、時間もかかるため、非常に煩雑である。
【課題を解決するための手段】
【０００７】
本考案はこのような課題に鑑みてなされたものであり、その目的とするところは、商品の発送に使用された箱を当該商品の陳列箱として利用することが可能であり、しかも陳列箱としての組み立てを容易に行うことが可能な包装箱を提供することにある。
【０００８】
すなわち、本考案は、内部に被収容物を収容する収容空間を有し、天面には前記収容空間に前記被収容物を出し入れ可能にする開口を備える箱本体部と、前記開口の一辺と連結し、収納時には前記箱本体部の正面の全面に覆いかぶさることにより前記開口を塞ぎ、開封時には前記箱本体部の背面に折り返すことができる蓋部と、前記蓋部を折り返した場合に、前記蓋部の先端と前記箱本体部の底面を係止し、前記蓋部と前記箱本体部を一定の距離で固定する止め具と、を備えることを特徴とするものである。
【考案の効果】
【０００９】
このように構成される本考案によれば、蓋部を箱本体部の背面に折り返し、止め具により蓋部の先端と箱本体部の底面を係止させるのみで包装箱を自立させることができ、包装箱を陳列箱として利用することが可能となる。このように、蓋部を折り返し、止め具を係止させるのみで包装箱を自立させることができるため、包装箱の組み立て作業を容易に行うことができる。
【図面の簡単な説明】
【００１０】
【図１】本考案を適用した包装箱の第一実施形態を示す斜視図である。
【図２】本考案を適用した包装箱の第一実施形態における蓋部を正面に重ねる際の斜視図である。
【図３】本考案を適用した包装箱の第一実施形態における止め具を示す斜視図である。
【図４】本考案を適用した包装箱の第一実施形態において蓋部の先端と箱本体部の底面を係止させたときの側面図である。
【図５】本考案を適用した包装箱の第二実施形態を示す斜視図である。
【図６】本考案を適用した包装箱の第二実施形態における止め具を箱本体側に折り畳んだ際の斜視図である。
【図７】本考案を適用した包装箱の第二実施形態において蓋部の先端と箱本体部の底面を係止させたときの側面図である。
【考案を実施するための形態】
【００１１】
以下、添付図面を用いて本考案を適用した包装箱の実施形態を詳細に説明する。
【００１２】
図１乃至図３は、本考案を適用した包装箱の第一実施形態を示している。この包装箱１はサプリメント等の複数の小物商品を客先に郵送する包装箱において使用されるものであって、客先に届いた後にユーザが組み立て作業を行うことによって陳列箱として使用することが可能となっている。前記包装箱１は、内部に被収容物５を収容する収容空間２３を有する箱本体部２と、前記箱本体部２と結合している蓋部４と、前記収容空間２３内に収められている仕切り板３と、から構成されている。前記仕切り板３は、請求項１に記載中の止め具に相当するものである。本実施形態においては、サプリメント等の軽量な商品を想定しているため、厚紙や段ボール等の素材を用いることが好ましい。尚、包装箱１の形状や材質は、郵送する物の大きさ、形、重さ等に応じて適宜選択して差し支えない。
【００１３】
前記箱本体部２は、天面に開口２２を有し、内部に被収容物５を収容する収容空間２３が設けられている。前記箱本体部２は、略直方体で形成されている。前記箱本体部２の正面は、前記被収容物５を取り出しやすいように、凹部状に形成されている。前記箱本体部２の正面下部には、後述する前記蓋部４に設けられている挿入片４１を挿入するためのスリット２１が設けられている。
【００１４】
前記蓋部４は、前記開口２２の一辺の結合辺４２に結合されている。図２に示すように、前記蓋部４は、前記箱本体部２の正面の全面に覆いかぶさる程度の大きさとなっている。前記蓋部４の先端には、前記スリット２１に挿入するための挿入片４１が設けられている。
【００１５】
前記仕切り板３は、前記箱本体部２の前記収容空間２３に収められている。この仕切り板３は、前記箱本体部２と一体化しているものではなく、前記箱本体部２の天面に設けられた開口２２から取り出すことが可能な独立したものである。前記仕切り板３を取り出した状態が図３に示すとおりである。前述のとおり、前記仕切り板３は、請求項１に記載中の止め具に相当するものである。
【００１６】
前記仕切り板３は、二カ所が折り曲げられており、前記箱本体部２の前記収容空間２３を３つの収容ポケットに区画するものである。前記仕切り板３の一部は、切り込み片３１として曲げ起こし可能となっており、当該切り込み片３１を曲げ起こすことによって挿入孔３２が形成される。前記挿入孔３２は、前記蓋部４に設けられた前記挿入片４１を係止するために利用される。尚、前記仕切り板３は、前記挿入孔３２が形成されているものであればよい。
【００１７】
被収容物５を前記箱本体部２の収容空間２３に収納する際には、前記蓋部４を開けて、箱本体部２の天面に設けられた開口２２から被収容物５を収容空間２３に配置する。収納空間２３に配置された前記被収容物５は、前記仕切り板３によって整列する。この仕切り板３の主たる機能としては、郵送される商品が郵送中の揺れ等により雑然と取り散らした状態になることを防ぐことにある。このため、前記仕切り板３が備えられていることにより、商品を整列させた状態を維持しつつ、包装箱を郵送することが可能となる。
【００１８】
前記蓋部４は、結合辺４２を基点として前記箱本体部２の正面に重ねることができる。前記蓋部４を前記箱本体部２の正面に重ね、前記箱本体部２に設けられた前記スリット２１に前記蓋部４に設けられた挿入片４１を挿入係止することで収納時の形状で維持することが可能となる。これにより、前記包装箱を郵送等により発送することができる状態になる。
【００１９】
前記包装箱１が客先に届いた後は、ユーザが前記蓋部４を開け、前記収容空間２３に収容されている前記被収容物５を前記開口２２から取り出すことができる。
【００２０】
前記包装箱１を陳列箱として使用するためには、ユーザによる組み立て作業が必要となる。まず、前記仕切り板３を前記収容空間２３から取り出し、取り出した前記仕切り板３を前記仕切り板３の凹部が下になるように前記箱本体部２の下に敷く。次に、前記蓋部４を前記箱本体部２の背面に折り返し、前記蓋部４の先端に設けられている挿入片４１を前記仕切り板３に設けられている挿入孔３２に挿入係止させる。この際、前記包装箱１を側面から視ると、図４に示すとおり、前記箱本体部２と前記蓋部４はハの字となっている。これにより、前記蓋部４と前記箱本体部２は一定の距離で固定され、前記箱本体部１は、後傾支持させた状態で自立することが可能となり、陳列箱として使用することができる。このことから、前記仕切り板３は、前記収容空間２３内における被収容物５の仕切りとしての機能に加え、前記包装箱１を自立させる際の止め具としての機能も備えていることになる。
【００２１】
本実施形態においては、前記蓋部４が前記箱本体部の正面の全面を覆う程度に大きいので、前記蓋部を背面に折り返した際にバランスよく自立させることができる。
【００２２】
以上説明してきたように、第一実施形態の包装箱１によれば、サプリメント等の複数の小物商品の郵送に使用される包装箱において、前記仕切り板３により前記蓋部４の先端と前記箱本体部２の底面を係止させるという比較的簡単な作業で自立した陳列箱として使用することができる。こうして、郵送用の前記包装箱１を自立する陳列箱として使用することにより、前記包装箱１が机上に置いてある他の物品に隠れることを防止することが可能となる。そして、前記包装箱１が自立し、目立つことによって、サプリメント等の定期的な服用が求められる商品の服用をユーザが忘れてしまうことを防止するとともに、事業者における当該商品のリピート需要への期待にも沿うことになる。
【００２３】
また、第一実施形態においては、前記仕切り板３が止め具を兼ねているため、前記包装箱１の前記仕切り板３をそのまま止め具として利用することができる。このため、前記包装箱１の製造時に止め具を別に設けなくても良い。
【００２４】
図５及び図６は、本考案を適用した包装箱の第二実施形態を示すものである。
【００２５】
第二実施形態における包装箱１は、箱本体部２と、前記箱本体部２と結合している蓋部４と、前記蓋部４の先端に設けられている止め具３と、から構成されている。この第二実施形態における包装箱１において、第一実施形態の包装箱と異なる特徴的な点としては、前記止め具３が収容空間２３内の仕切り板を兼ねておらず、前記蓋部４の先端に設けられている点である。
【００２６】
前記箱本体部２の構成については、前述した第一実施形態と同一であるので、同一の符号を付し、ここでは詳細な説明を省略する。
【００２７】
前記蓋部４の先端には、スリット２１に挿入するための挿入片４１と後述する止め具３が設けられている。前記挿入片４１は、前記止め具３の一部を切り抜いて形成されたものである。前記蓋部４におけるその他の特徴は、第一実施形態と同一であるので、同一の符号を付し、ここでは詳細な説明を省略する。
【００２８】
前記止め具３は、前述のとおり、前記蓋部４の先端に設けられている。前記止め具３の先端には、前記スリット２１に挿入するための挿入部３２が設けられている。図６に示すように、前記止め具３は、前記蓋部４の長さよりも少し小さく形成されている。前記止め具３の太さは、前記スリット２１の横幅と同程度で形成されている。
【００２９】
前記包装箱１の収納時、郵送時における使用方法は、第一実施形態と同一であるので、ここでは詳細な説明を省略する。
【００３０】
前記包装箱１を陳列箱として使用するためには、ユーザによる組み立て作業が必要となる。組み立て作業に際し、第二実施形態においては、被収容物５を収容空間２３内に配置したままで問題ない。まず、前記包装箱１が客先に届いた後、ユーザが前記蓋部４を開け、前記蓋部４を前記箱本体部２の背面に折り返す。次に、前記止め具３をさらに前記箱本体２側に折り返し、前記止め具３の先端に設けられている挿入部３２を前記スリット２１に挿入係止させる。この際、前記包装箱１を側面から視ると、図７に示すとおり、前記箱本体部２と前記蓋部４はハの字となっている。これにより、前記蓋部４と前記箱本体部２は一定の距離で固定され、前記包装箱１は、後傾支持させた状態で自立させることが可能となり、陳列箱として使用することができる。
【００３１】
以上説明してきたように、第二実施形態の包装箱によれば、サプリメント等の複数の小物商品の郵送に使用される包装箱において、前記蓋部４を折り返し、さらに前記止め具３を前記箱本体部２側に折り返して、前記止め具３の先端に設けられた前記挿入部３２を前記スリット２１に挿入するという比較的簡単な作業で自立した陳列箱として使用することができる。これにより、第一実施形態と同様に、前記包装箱１を目立つように自立させ、商品を購入したユーザがサプリメントの服用を忘れてしまう懸念を排除することができる。
【００３２】
また、第二実施形態においては、前記止め具３が前記包装箱１と一体に成形されているため、容易に製造することが可能である。これに加え、前記止め具３が前記包装箱１と一体となっていることで、前記箱本体部２の前記収容空間２３内に仕切り板がない場合であっても、前記包装箱１を自立させることができる。
【００３３】
尚、図示はしていないが前記止め具３が前記箱本体部２に設けられているものであってもよい。この場合、前記挿入片４１を挿入するための孔を前記止め具３に設けることになる。
【符号の説明】
【００３４】
１…包装箱、２…箱本体部、３…止め具、４…蓋部、５…被収容物、２１…スリット、２２…開口、２３…収容空間、３１…切れ込み片、３２…挿入孔、３３…挿入部、４１…挿入片
【図１】
0003226530.tif 000003
【図２】
0003226530.tif 000004
【図３】
0003226530.tif 000005
【図４】
0003226530.tif 000006
【図５】
0003226530.tif 000007
【図６】
0003226530.tif 000008
【図７】
0003226530.tif 000009